(57)【要約】【課題】この発明は、受信画像をなくした際、または識別符号が汚れなどにより判別できなくなった場合などには対応できないという課題を解決しようとするものである。【解決手段】この発明は、受信画像保存手段１７に保存されている画像情報から受信画像に対する送受信機能の画像入力手段１１からの画像情報と一致するものを検出する画像照合手段を備え、この画像照合手段で検出した画像情報と一致する画像入力手段１１からの画像情報の送信先を、前記画像照合手段で検出した画像情報と共に受信画像保存手段１７に保存した送信先情報により設定するものである。【選択図】  図１
2005175761.tif 000002
【特許請求の範囲】
【請求項１】
画像情報の送受信を行う送受信機能と、この送受信機能により受信した画像情報により画像を表示する表示部と、前記送受信機能により画像情報を受信した場合に該画像情報を送信先情報と共に保存する受信画像保存手段とを有する送受信装置において、前記受信画像保存手段に保存されている画像情報から受信画像に対する前記送受信機能の画像入力手段からの画像情報と一致するものを検出する画像照合手段を備え、この画像照合手段で検出した画像情報と一致する前記画像入力手段からの画像情報の送信先を、前記画像照合手段で検出した画像情報と共に前記受信画像保存手段に保存した送信先情報により設定することを特徴とする送受信装置。
【請求項２】
画像情報を受信する受信装置と、この受信装置により受信した画像情報により画像を表示する画像表示装置と、画像情報を送信する送信装置とをそれぞれを有する複数の装置がネットワーク上に接続され、該複数の装置が相互にデータのやりとりを行う送受信システムにおいて、前記受信装置により画像情報を受信した場合に該画像情報を送信先情報と共に保存する受信画像保存手段と、前記受信画像保存手段に保存されている画像情報から受信画像に対する前記送信装置の画像入力手段からの画像情報と一致するものを検出する画像照合手段とを備え、この画像照合手段で検出した画像情報と一致する前記画像入力手段からの画像情報の送信先を、前記画像照合手段で検出した画像情報と共に前記受信画像保存手段に保存した送信先情報により設定することを特徴とする送受信システム。
【請求項３】
請求項１記載の送受信装置において、前記送受信機能により受信した画像情報をあらかじめ縮小して前記受信画像保存手段に保存することを特徴とする送受信装置。
【請求項４】
請求項２記載の送受信システムにおいて、前記受信装置により受信した画像情報をあらかじめ縮小して前記受信画像保存手段に保存することを特徴とする送受信システム。
【請求項５】
請求項１記載の送受信装置において、前記送受信機能により受信した画像情報はあらかじめ天地を判別して上向きになるように補正をかけて前記受信画像保存手段に保存することを特徴とする送受信装置。
【請求項６】
請求項２記載の送受信システムにおいて、前記受信装置により受信した画像情報はあらかじめ天地を判別して上向きになるように補正をかけて前記受信画像保存手段に保存することを特徴とする送受信システム。
【請求項７】
請求項１記載の送受信装置において、前記送受信機能により受信した画像情報の送信先を取得できない場合に前記送受信機能により受信した受信画像情報から送信先を検索する機能を有することを特徴とする送受信装置。
【請求項８】
請求項２記載の送受信システムにおいて、前記受信装置により受信した画像情報の送信先を取得できない場合に前記受信装置により受信した受信画像情報から送信先を検索する機能を有することを特徴とする送受信システム。
【請求項９】
請求項７記載の送受信装置において、前記送受信機能により受信した受信画像情報の先頭位置にある部分に対してOCR機能により文字認識を行い、数字と認識した部分を前記受信画像情報の送信先の電話番号として前記受信画像保存手段に保存することを特徴とする送受信装置。
【請求項１０】
請求項８記載の送受信システムにおいて、前記受信装置により受信した受信画像情報の先頭位置にある部分に対してOCR機能により文字認識を行い、数字と認識した部分を電話番号として前記受信画像保存手段に保存することを特徴とする送受信システム。
【請求項１１】
請求項７記載の送受信装置において、前記送受信機能により受信した受信画像情報の先頭位置にある部分を保存しておき、前記送受信機能により受信した画像情報の送信先が不明である場合に、前記保存しておいた受信画像情報の先頭位置にある部分の画像を表示させることで、この画像により送信先の電話番号にリダイヤルさせる機能を有することを特徴とする送受信装置。
【請求項１２】
請求項８記載の送受信システムにおいて、前記受信装置により受信した受信画像情報の先頭位置にある部分を保存しておき、前記受信装置により受信した画像情報の送信先が不明である場合に、前記保存しておいた受信画像情報の先頭位置にある部分の画像を表示させることで、この画像により送信先の電話番号にリダイヤルさせる機能を有することを特徴とする送受信システム。
【請求項１３】
請求項１、３、５、７、９または１１記載の送受信装置において、前記送受信機能により送信する送信画像情報と電話番号を保存しておく保存手段を有することを特徴とする送受信装置。
【請求項１４】
請求項２、４、６、８、１０または１２記載の送受信システムにおいて、前記送信装置により送信する送信画像情報と電話番号を保存しておく保存手段を有することを特徴とする送受信システム。
【請求項１５】
請求項１、３、５、７、９、１１または１３記載の送受信装置において、前記画像照合手段は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつことを特徴とする送受信装置。
【請求項１６】
請求項２、４、６、８、１０、１２または１４記載の送受信システムにおいて、前記画像照合手段は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつことを特徴とする送受信システム。
【請求項１７】
請求項１、３、５、７、９、１１、１３または１５記載の送受信装置において、前記画像照合手段の検出結果を第一候補から複数ある候補として閲覧させる選択手段を有することを特徴とする送受信装置。
【請求項１８】
請求項２、４、６、８、１０、１２、１４または１６記載の送受信システムにおいて、前記画像照合手段の検出結果を第一候補から複数ある候補として閲覧させる選択手段を有することを特徴とする送受信システム。
【請求項１９】
請求項１、３、５、７、９、１１、１３、１５または１７記載の送受信装置、または請求項２、４、６、８、１０、１２、１４、１６または１８記載の送受信システムが有するコンピュータに、前記受信画像保存手段に保存されている画像情報から受信画像に対する前記画像入力手段からの画像情報と一致するものを検出する画像照合手段と、この画像照合手段で検出した画像情報と一致する前記画像入力手段からの画像情報の送信先を、前記画像照合手段で検出した画像情報と共に前記受信画像保存手段に保存した送信先情報により設定することを実現させるためのコンピュータプログラム。
【請求項２０】
請求項１９記載のコンピュータプログラムにおいて、前記コンピュータに、受信した画像情報をあらかじめ縮小して前記受信画像保存手段に保存することを実現させるためのプログラムを含むことを特徴とするコンピュータプログラム。
【請求項２１】
請求項１９または２０記載のコンピュータプログラムにおいて、前記コンピュータに、受信した画像情報はあらかじめ天地を判別して上向きになるように補正をかけて前記受信画像保存手段に保存することを実現させるためのプログラムを含むことを特徴とするコンピュータプログラム。
【請求項２２】
請求項１９〜２１のいずれか１つに記載のコンピュータプログラムにおいて、前記コンピュータに、受信した画像情報の送信先を取得できない場合に前記送受信機能により受信した受信画像情報から送信先を検索する機能を実現させるためのプログラムを含むことを特徴とするコンピュータプログラム。
【請求項２３】
請求項１９〜２２のいずれか１つに記載のコンピュータプログラムにおいて、前記コンピュータに、受信した画像情報の送信先を取得できない場合に受信した受信画像情報から送信先を検索する機能を実現させるためのプログラムを含むことを特徴とするコンピュータプログラム。
【請求項２４】
請求項１９〜２３のいずれか１つに記載のコンピュータプログラムにおいて、前記コンピュータに、受信した受信画像情報の先頭位置にある部分に対してOCR機能により文字認識を行い、数字と認識した部分を前記受信画像情報の送信先の電話番号として前記受信画像保存手段に保存することを実現させるためのプログラムを含むことを特徴とするコンピュータプログラム。
【請求項２５】
請求項１９〜２４のいずれか１つに記載のコンピュータプログラムにおいて、前記コンピュータに、受信した受信画像情報の先頭位置にある部分を保存しておき、受信した画像情報の送信先が不明である場合に、前記保存しておいた受信画像情報の先頭位置にある部分の画像を表示させることで、この画像により送信先の電話番号にリダイヤルさせる機能を実現させるためのプログラムを含むことを特徴とするコンピュータプログラム。
【請求項２６】
請求項１９〜２５のいずれか１つに記載のコンピュータプログラムにおいて、前記コンピュータに、送信する送信画像情報と電話番号を保存する機能を実現させるためのプログラムを含むことを特徴とするコンピュータプログラム。
【請求項２７】
請求項１９〜２６のいずれか１つに記載のコンピュータプログラムにおいて、前記受信画像保存手段に保存されている画像情報から前記送受信機能の画像入力手段からの画像情報と一致するものを検出することで１つの画像情報を選択する画像照合手段であって、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつ画像照合手段を実現させるためのプログラムを含むことを特徴とするコンピュータプログラム。
【請求項２８】
請求項２７のいずれか１つに記載のコンピュータプログラムにおいて、前記コンピュータに、前記画像照合手段の検出結果を第一候補から複数ある候補として閲覧させる選択手段を実現させるためのプログラムを含むことを特徴とするコンピュータプログラム。
【請求項２９】
請求項１９〜２８のいずれか１つに記載のコンピュータプログラムを記録したコンピュータ読み取り可能な記録媒体。
【請求項３０】
画像情報を受信する受信装置と、この受信装置により受信した画像情報により画像を表示する画像表示装置と、画像情報を送信する送信装置とをそれぞれを有する複数の装置をネットワーク上に接続し、該複数の装置が相互にデータのやりとりを行う送受信方法において、前記受信装置により画像情報を受信した場合に該画像情報を送信先情報と共に受信画像保存手段に保存し、画像照合手段にて前記受信画像保存手段に保存されている画像情報から受信画像に対する前記送信装置の画像入力手段からの画像情報と一致するものを検出し、この画像照合手段で検出した画像情報と一致する前記画像入力手段からの画像情報の送信先を、前記画像照合手段で検出した画像情報と共に前記受信画像保存手段に保存した送信先情報により設定することを特徴とする送受信方法。
【請求項３１】
請求項３０記載の送受信方法において、前記受信装置により受信した画像情報をあらかじめ縮小して前記受信画像保存手段に保存することを特徴とする送受信方法。
【請求項３２】
請求項３０記載の送受信方法において、前記受信装置により受信した画像情報はあらかじめ天地を判別して上向きになるように補正をかけて前記受信画像保存手段に保存することを特徴とする送受信方法。
【請求項３３】
請求項３０記載の送受信方法において、前記受信装置により受信した画像情報の送信先を取得できない場合に前記受信装置により受信した受信画像情報から送信先を検索することを特徴とする送受信方法。
【請求項３４】
請求項３３記載の送受信方法において、前記受信装置により受信した受信画像情報の先頭位置にある部分に対してOCR機能により文字認識を行い、数字と認識した部分を電話番号として前記受信画像保存手段に保存することを特徴とする送受信方法。
【請求項３５】
請求項３３記載の送受信方法において、前記受信装置により受信した受信画像情報の先頭位置にある部分を保存し、前記受信装置により受信した画像情報の送信先が不明である場合に、前記保存した受信画像情報の先頭位置にある部分の画像を表示させることで、この画像により送信先の電話番号にリダイヤルさせることを特徴とする送受信方法。
【請求項３６】
請求項３０〜３５のいずれか１つに記載の送受信方法において、前記送信装置により送信した送信画像情報と電話番号を保存することを特徴とする送受信方法。
【請求項３７】
請求項３０〜３６のいずれか１つに記載の送受信方法において、前記画像照合手段が、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定することを特徴とする送受信方法。
【請求項３８】
請求項３０〜３７のいずれか１つに記載の送受信方法において、前記画像照合手段の検出結果を第一候補から複数ある候補として閲覧させることを特徴とする送受信方法。
【発明の詳細な説明】
【技術分野】
【０００１】
本発明は送受信装置、送受信システム、コンピュータプログラム、記録媒体及び送受信方法に関する。
【背景技術】
【０００２】
ファクシミリ装置では、電話と同じように情報の交換をすることが多い。受信した文書をその送信先であった相手に送信する場合は、通常着信履歴などが便利であるが、その相手を登録していない場合には、着信履歴をみても誰がどんな文書を送ってきたかはわからない。  
この問題を解決するために、例えば特許文献１には、受信文書像に識別符号を記入し、識別符号と返信先のデータを対で保存しておき、受信文書の識別符号から返信先を呼び出す方法が提案されている。
【０００３】
特許文献２、３には受信画像情報からその送信元の電話番号を取得して保存することが記載されている。特許文献４には受信画像の発信元を表示するファクシミリ制御方式が記載されている。特許文献５には受信した画像に追加画像を入力して再送信する画像伝送装置が記載されている。特許文献６〜９には画像検索装置が記載されている。特許文献１０には画像の特徴量を空間的に表示する方法が記載されている。特許文献１１には文書画像の方向を判定する方法が記載されている。
【０００４】
【特許文献１】特開平９−１６３１１５号公報
【特許文献２】特開平７−１５４５７２号公報
【特許文献３】特開平１０−２８２１５号公報
【特許文献４】特開平７−１６２５７５号公報
【特許文献５】特開平９−３２１９７７号公報
【特許文献６】特開２０００−９０１０１
【特許文献７】特開２００１−４３３６８
【特許文献８】特開２００１−６９４３７
【特許文献９】特開２００１−３１９２３１
【特許文献１０】特開２００３−５１０１１
【特許文献１１】特開２０００−１１３１０３
【発明の開示】
【発明が解決しようとする課題】
【０００５】
特許文献１記載の方法では、受信画像をなくした際、または識別符号が汚れなどにより判別できなくなった場合などには対応できない。  
本発明は、画像を送った相手に確実に返信をすることができる送受信装置、送受信システム、コンピュータプログラム、記録媒体及び送受信方法を提供することを目的とする。
【課題を解決するための手段】
【０００６】
上記目的を達成するため、請求項１に係る発明は、画像情報の送受信を行う送受信機能と、この送受信機能により受信した画像情報により画像を表示する表示部と、前記送受信機能により画像情報を受信した場合に該画像情報を送信先情報と共に保存する受信画像保存手段とを有する送受信装置において、前記受信画像保存手段に保存されている画像情報から受信画像に対する前記送受信機能の画像入力手段からの画像情報と一致するものを検出する画像照合手段を備え、この画像照合手段で検出した画像情報と一致する前記画像入力手段からの画像情報の送信先を、前記画像照合手段で検出した画像情報と共に前記受信画像保存手段に保存した送信先情報により設定するものである。
【０００７】
請求項２に係る発明は、画像情報を受信する受信装置と、この受信装置により受信した画像情報により画像を表示する画像表示装置と、画像情報を送信する送信装置とをそれぞれを有する複数の装置がネットワーク上に接続され、該複数の装置が相互にデータのやりとりを行う送受信システムにおいて、前記受信装置により画像情報を受信した場合に該画像情報を送信先情報と共に保存する受信画像保存手段と、前記受信画像保存手段に保存されている画像情報から受信画像に対する前記送信装置の画像入力手段からの画像情報と一致するものを検出する画像照合手段とを備え、この画像照合手段で検出した画像情報と一致する前記画像入力手段からの画像情報の送信先を、前記画像照合手段で検出した画像情報と共に前記受信画像保存手段に保存した送信先情報により設定するものである。
【０００８】
請求項３に係る発明は、請求項１記載の送受信装置において、前記送受信機能により受信した画像情報をあらかじめ縮小して前記受信画像保存手段に保存するものである。
【０００９】
請求項４に係る発明は、請求項２記載の送受信システムにおいて、前記受信装置により受信した画像情報をあらかじめ縮小して前記受信画像保存手段に保存するものである。
【００１０】
請求項５に係る発明は、請求項１記載の送受信装置において、前記送受信機能により受信した画像情報はあらかじめ天地を判別して上向きになるように補正をかけて前記受信画像保存手段に保存するものである。
【００１１】
請求項６に係る発明は、請求項２記載の送受信システムにおいて、前記受信装置により受信した画像情報はあらかじめ天地を判別して上向きになるように補正をかけて前記受信画像保存手段に保存するものである。
【００１２】
請求項７に係る発明は、請求項１記載の送受信装置において、前記送受信機能により受信した画像情報の送信先を取得できない場合に前記送受信機能により受信した受信画像情報から送信先を検索する機能を有するものである。
【００１３】
請求項８に係る発明は、請求項２記載の送受信システムにおいて、前記受信装置により受信した画像情報の送信先を取得できない場合に前記受信装置により受信した受信画像情報から送信先を検索する機能を有するものである。
【００１４】
請求項９に係る発明は、請求項７記載の送受信装置において、前記送受信機能により受信した受信画像情報の先頭位置にある部分に対してOCR機能により文字認識を行い、数字と認識した部分を前記受信画像情報の送信先の電話番号として前記受信画像保存手段に保存するものである。
【００１５】
請求項１０に係る発明は、請求項８記載の送受信システムにおいて、前記受信装置により受信した受信画像情報の先頭位置にある部分に対してOCR機能により文字認識を行い、数字と認識した部分を電話番号として前記受信画像保存手段に保存するものである。
【００１６】
請求項１１に係る発明は、請求項７記載の送受信装置において、前記送受信機能により受信した受信画像情報の先頭位置にある部分を保存しておき、前記送受信機能により受信した画像情報の送信先が不明である場合に、前記保存しておいた受信画像情報の先頭位置にある部分の画像を表示させることで、この画像により送信先の電話番号にリダイヤルさせる機能を有するものである。
【００１７】
請求項１２に係る発明は、請求項８記載の送受信システムにおいて、前記受信装置により受信した受信画像情報の先頭位置にある部分を保存しておき、前記受信装置により受信した画像情報の送信先が不明である場合に、前記保存しておいた受信画像情報の先頭位置にある部分の画像を表示させることで、この画像により送信先の電話番号にリダイヤルさせる機能を有するものである。
【００１８】
請求項１３に係る発明は、請求項１、３、５、７、９または１１記載の送受信装置において、前記送受信機能により送信する送信画像情報と電話番号を保存しておく保存手段を有するものである。
【００１９】
請求項１４に係る発明は、請求項２、４、６、８、１０または１２記載の送受信システムにおいて、前記送信装置により送信する送信画像情報と電話番号を保存しておく保存手段を有するものである。
【００２０】
請求項１５に係る発明は、請求項１、３、５、７、９、１１または１３記載の送受信装置において、前記画像照合手段は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつものである。
【００２１】
請求項１６に係る発明は、請求項２、４、６、８、１０、１２または１４記載の送受信システムにおいて、前記画像照合手段は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつものである。
【００２２】
請求項１７に係る発明は、請求項１、３、５、７、９、１１、１３または１５記載の送受信装置において、前記画像照合手段の検出結果を第一候補から複数ある候補として閲覧させる選択手段を有するものである。
【００２３】
請求項１８に係る発明は、請求項２、４、６、８、１０、１２、１４または１６記載の送受信システムにおいて、前記画像照合手段の検出結果を第一候補から複数ある候補として閲覧させる選択手段を有するものである。
【００２４】
請求項１９に係る発明は、請求項１、３、５、７、９、１１、１３、１５または１７記載の送受信装置、または請求項２、４、６、８、１０、１２、１４、１６または１８記載の送受信システムが有するコンピュータに、前記受信画像保存手段に保存されている画像情報から受信画像に対する前記画像入力手段からの画像情報と一致するものを検出する画像照合手段と、この画像照合手段で検出した画像情報と一致する前記画像入力手段からの画像情報の送信先を、前記画像照合手段で検出した画像情報と共に前記受信画像保存手段に保存した送信先情報により設定することを実現させるためのものである。
【００２５】
請求項２０に係る発明は、請求項１９記載のコンピュータプログラムにおいて、前記コンピュータに、受信した画像情報をあらかじめ縮小して前記受信画像保存手段に保存することを実現させるためのプログラムを含むものである。
【００２６】
請求項２１に係る発明は、請求項１９または２０記載のコンピュータプログラムにおいて、前記コンピュータに、受信した画像情報はあらかじめ天地を判別して上向きになるように補正をかけて前記受信画像保存手段に保存することを実現させるためのプログラムを含むものである。
【００２７】
請求項２２に係る発明は、請求項１９〜２１のいずれか１つに記載のコンピュータプログラムにおいて、前記コンピュータに、受信した画像情報の送信先を取得できない場合に前記送受信機能により受信した受信画像情報から送信先を検索する機能を実現させるためのプログラムを含むものである。
【００２８】
請求項２３に係る発明は、請求項１９〜２２のいずれか１つに記載のコンピュータプログラムにおいて、前記コンピュータに、受信した画像情報の送信先を取得できない場合に受信した受信画像情報から送信先を検索する機能を実現させるためのプログラムを含むものである。
【００２９】
請求項２４に係る発明は、請求項１９〜２３のいずれか１つに記載のコンピュータプログラムにおいて、前記コンピュータに、受信した受信画像情報の先頭位置にある部分に対してOCR機能により文字認識を行い、数字と認識した部分を前記受信画像情報の送信先の電話番号として前記受信画像保存手段に保存することを実現させるためのプログラムを含むものである。
【００３０】
請求項２５に係る発明は、請求項１９〜２４のいずれか１つに記載のコンピュータプログラムにおいて、前記コンピュータに、受信した受信画像情報の先頭位置にある部分を保存しておき、受信した画像情報の送信先が不明である場合に、前記保存しておいた受信画像情報の先頭位置にある部分の画像を表示させることで、この画像により送信先の電話番号にリダイヤルさせる機能を実現させるためのプログラムを含むものである。
【００３１】
請求項２６に係る発明は、請求項１９〜２５のいずれか１つに記載のコンピュータプログラムにおいて、前記コンピュータに、送信する送信画像情報と電話番号を保存する機能を実現させるためのプログラムを含むものである。
【００３２】
請求項２７に係る発明は、請求項１９〜２６のいずれか１つに記載のコンピュータプログラムにおいて、前記受信画像保存手段に保存されている画像情報から前記送受信機能の画像入力手段からの画像情報と一致するものを検出することで１つの画像情報を選択する画像照合手段であって、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつ画像照合手段を実現させるためのプログラムを含むものである。
【００３３】
請求項２８に係る発明は、請求項２７のいずれか１つに記載のコンピュータプログラムにおいて、前記コンピュータに、前記画像照合手段の検出結果を第一候補から複数ある候補として閲覧させる選択手段を実現させるためのプログラムを含むものである。
【００３４】
請求項２９に係る発明は、請求項１９〜２８のいずれか１つに記載のコンピュータプログラムを記録したものである。
【００３５】
請求項３０に係る発明は、画像情報を受信する受信装置と、この受信装置により受信した画像情報により画像を表示する画像表示装置と、画像情報を送信する送信装置とをそれぞれを有する複数の装置をネットワーク上に接続し、該複数の装置が相互にデータのやりとりを行う送受信方法において、前記受信装置により画像情報を受信した場合に該画像情報を送信先情報と共に受信画像保存手段に保存し、画像照合手段にて前記受信画像保存手段に保存されている画像情報から受信画像に対する前記送信装置の画像入力手段からの画像情報と一致するものを検出し、この画像照合手段で検出した画像情報と一致する前記画像入力手段からの画像情報の送信先を、前記画像照合手段で検出した画像情報と共に前記受信画像保存手段に保存した送信先情報により設定することを特徴とする。
【００３６】
請求項３１に係る発明は、請求項３０記載の送受信方法において、前記受信装置により受信した画像情報をあらかじめ縮小して前記受信画像保存手段に保存することを特徴とする。
【００３７】
請求項３２に係る発明は、請求項３０記載の送受信方法において、前記受信装置により受信した画像情報はあらかじめ天地を判別して上向きになるように補正をかけて前記受信画像保存手段に保存することを特徴とする。
【００３８】
請求項３３に係る発明は、請求項３０記載の送受信方法において、前記受信装置により受信した画像情報の送信先を取得できない場合に前記受信装置により受信した受信画像情報から送信先を検索することを特徴とする。
【００３９】
請求項３４に係る発明は、請求項３３記載の送受信方法において、前記受信装置により受信した受信画像情報の先頭位置にある部分に対してOCR機能により文字認識を行い、数字と認識した部分を電話番号として前記受信画像保存手段に保存することを特徴とする。
【００４０】
請求項３５に係る発明は、請求項３３記載の送受信方法において、前記受信装置により受信した受信画像情報の先頭位置にある部分を保存し、前記受信装置により受信した画像情報の送信先が不明である場合に、前記保存した受信画像情報の先頭位置にある部分の画像を表示させることで、この画像により送信先の電話番号にリダイヤルさせることを特徴とする。
【００４１】
請求項３６に係る発明は、請求項３０〜３５のいずれか１つに記載の送受信方法において、前記送信装置により送信した送信画像情報と電話番号を保存することを特徴とする。
【００４２】
請求項３７に係る発明は、請求項３０〜３６のいずれか１つに記載の送受信方法において、前記画像照合手段が、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定することを特徴とする。
【００４３】
請求項３８に係る発明は、請求項３０〜３７のいずれか１つに記載の送受信方法において、前記画像照合手段の検出結果を第一候補から複数ある候補として閲覧させることを特徴とする。
【発明の効果】
【００４４】
本発明によれば、受信画像を、送った相手に確実に返信をすることができる。
【発明を実施するための最良の形態】
【００４５】
図１は本発明の実施形態の前提となる送受信装置としてのファクシミリ装置(1)を示す。このファクシミリ装置(1)は、受信した画像を着信履歴と共に保存しておき、ユーザがその受信した画像を見ることで、それを送った相手に確実に返信をするというダイヤル支援機能を持ったファクシミリ装置である。例えばファクシミリ装置によるサポートを行っているような会社では、不特定多数の相手からファクシミリ装置により質問票が来て、それに対する返信作業を行う。本ファクシミリ装置(1)は、そのような場合に確実に送信した相手の電話番号に返信することができるものである。
【００４６】
図１に示すように本ファクシミリ装置(1)１０は、送信トレイに設置された原稿の画像を読み取る画像入力部１１と、この画像入力部１１からの画像情報を図示しない公衆回線を介して相手のファクシミリ装置へ送信するファクシミリ（ＦＡＸ）送信部１２と、相手のファクシミリ装置から図示しない公衆回線を介して送信されてきた画像情報を受信するＦＡＸ受信部１３と、このＦＡＸ受信部１３で受信した画像情報により画像を用紙に記録して出力する画像出力部１４と、画像を表示する画像表示部１５と、受信先（画像情報を受信した場合にその画像情報を送信した相手）の電話番号（着信履歴：送信先とのデータのやりとりで取得した電話番号、例えば送信先から通知された送信先の電話番号）を格納する受信先電話番号格納部１６と、ＦＡＸ受信部１３で画像情報を受信した場合にその画像情報を格納する受信画像格納部１７と、ＦＡＸ受信部１３で画像情報を受信した場合にその画像情報を送信する送信先の電話番号を指定する送信先指定部１８と、ユーザが各種操作を行う操作部と、ファクシミリ装置１０全体を制御する図示しない制御部とを有する。この制御部は、ＲＯＭに格納されているプログラムをＣＰＵが実行することで以下に述べる処理を実行する。
【００４７】
ここに、受信画像格納部１７と受信先電話番号格納部１６は、ＦＡＸ受信部１３により画像情報を受信した場合に該画像情報を送信先の電話番号と共に対で保存する受信画像保存手段を構成している。本ファクシミリ装置(1)は、最も単純で受信画像とその送信した相手（送信元）の電話番号をセットで保存しておく機能を持っている。すなわち、制御部は、ＦＡＸ受信部１３で画像情報を受信した場合に該画像情報とその送信元の電話番号（送信先とのデータのやりとりで取得した電話番号、例えば送信先から通知された送信先の電話番号）とを１セットとして対で受信画像格納部１７と受信先電話番号格納部１６に格納する。
【００４８】
また、制御部は、ユーザが画像を送信する際には、受信画像格納部１７に格納されている複数の画像情報により画像を画像表示部１５に表示させてその中の１つの画像をユーザに送信先指定部１８で指定させることで、どのような画像を、送ってきた相手に送信するかを画像表示部１５上で閲覧させながら検索させ、目的の画像がみつかったら、該画像を送信先指定部１８で選択（指定）させて該画像と１セットとして受信先電話番号格納部１６に格納されている着信電話番号を読み出し、この電話番号を、ＦＡＸ送信部１２が今回画像を送信する送信先の電話番号としてセットする。ＦＡＸ送信部１２は、上記送信先指定部１８で指定された画像情報を上記セットされた電話番号のファクシミリ装置へ図示しない公衆回線を介して送信する。
【００４９】
このファクシミリ装置(1)では、ユーザが受信画像そのものを目で検索し、その送信先を、該画像情報と共に受信画像保存手段（受信先電話番号格納部１６）に保存した送信先情報（電話番号）により設定するので、画像を送った相手に確実に返信をすることができる。
【００５０】
図２は本発明の実施形態の前提となるＦＡＸ送受信システム(1)を示す。このＦＡＸ送受信システム(1)は、送受信システムとしてのファクシミリ送受信システムの一実施形態であり、上記ファクシミリ装置(1)のように１台のファクシミリ装置で上記のように受信画像を見ることで、それを送った相手に返信をするというダイヤル支援機能をもった特殊なものではなく、ファクシミリ（ＦＡＸ）受信装置、データ保存用メモリ、ＦＡＸ送信装置、画像表示装置が別々の装置として分割してあり、これらの装置は互いにデータのやりとりが可能であり、データの制御をすることで上記ファクシミリ装置(1)の上記ダイヤル支援機能を実現している。
【００５１】
図２において、２１は送信トレイに設置された原稿の画像を画像入力部により読み取って画像情報に変換し、この画像情報をネットワーク回線３０を介して相手のＦＡＸ装置へ送信するＦＡＸ送信装置である。２２は相手のファクシミリ装置からネットワーク回線３０を介して送信されてきた画像情報をＦＡＸ受信部により受信し、その画像情報により画像出力部で画像を用紙に記録して出力するＦＡＸ受信装置である。
【００５２】
２３はＦＡＸ受信装置２２のＦＡＸ受信部で画像情報を受信した場合に該画像情報とその送信元の電話番号（着信履歴：送信先とのデータのやりとりで取得した電話番号、例えば送信先から通知された送信先の電話番号）とを１セットとして対で受信画像保存手段である受信画像格納部２４及び受信先電話番号格納部２５に格納するデータ保存装置である。２６はＦＡＸ受信部で画像情報を受信した場合にその画像情報を送信する送信先の電話番号を指定する送信先指定部である。２７は情報処理装置としてのパーソナルコンピュータ（以下ＰＣという）であり、このＰＣ２７には画像表示装置としてのディスプレイ２８やキーボード、マウスなどが接続される。ＰＣ２７は、記録媒体としてのＣＤ−ＲＯＭ２９が装着され、このＣＤ−ＲＯＭ２９からプログラムが供給されて該プログラムを実行することで以下に述べる処理を行う。３０はネットワーク回線であり、このネットワーク回線３０にはＦＡＸ送信装置２１、ＦＡＸ受信装置２２、データ保存装置１３、送信先指定部２６、ＰＣ２７が接続されている。
【００５３】
ＰＣ２７は、ＦＡＸ受信装置２２のＦＡＸ受信部で画像情報を受信した場合には該画像情報とその送信元の電話番号（送信先とのデータのやりとりで取得した電話番号、例えば送信先から通知された送信先の電話番号）とを１セットとしてデータ保存装置２３の受信画像格納部２４と受信先電話番号格納部２５にそれぞれ格納する。
【００５４】
また、ＰＣ２７は、ユーザが画像を送信する際には、受信画像格納部２４に格納されている複数の画像情報により画像をディスプレイ２８に表示させてその中の１つの画像をユーザに送信先指定部２６で指定させることで、どのような画像を送ってきた相手に送信するかをディスプレイ２８上で閲覧させながら検索させ、目的の画像が見つかったら、該画像を送信先指定部２６で選択（指定）させてこれと１セットとして受信先電話番号格納部２５に格納されている着信電話番号を読み出し、この電話番号を、ＦＡＸ送信装置２１のＦＡＸ送信部が今回画像を送信する送信先の電話番号としてセットする。ＦＡＸ送信装置２１のＦＡＸ送信部は、上記送信先指定部２６で指定された画像情報を上記セットされた電話番号のファクシミリ装置へネットワーク回線３０を介して送信する。
【００５５】
このＦＡＸ送受信システム(1)では、ユーザが受信画像そのものを目で検索し、その送信先を、該画像情報と共に受信画像保存手段（受信先電話番号格納部２５）に保存した送信先情報（電話番号）により設定するので、画像を送った相手に確実に返信をすることができる。
【００５６】
なお、本ＦＡＸ送受信システム(1)において、全ての機器２１〜２３、２６、２７がばらばらである必要はなく、通常ＦＡＸ送信装置２１とＦＡＸ受信装置２２は１台でも構わないし、ＦＡＸ受信装置２２はＰＣ２７のＦＡＸモデムなどであって、ＦＡＸ画像を受信したものをＰＣ２７のストレージ部にためるという方式も可能である。
【００５７】
図３は本発明の実施形態の前提となるＦＡＸ送受信システム(2)を示す。このＦＡＸ送受信システム(2)では、上記ＦＡＸ送受信システム(1)において、データ保存装置２３がＰＣ２７に接続され、ＦＡＸ送信装置２１及びＦＡＸ受信装置２２が１つのＦＡＸ送受信装置３２にまとめられている。なお、３１はＰＣ２７に接続されているキーボード、マウスである。
【００５８】
次に、本発明の実施形態１について説明する。この実施形態１では、上記ファクシミリ装置(1)において、上記制御部は、受信画像格納部１７に格納されている画像情報を画像表示部１５に表示させて閲覧するだけでなく、その中から機器自身に検索をさせる仕組みを持たせたものである。上記制御部は、送信元のユーザＡからファクシミリ装置により本実施形態１のユーザＢ宛てに送信された画像情報をＦＡＸ受信部１３で受信した場合に該画像情報とその送信元の電話番号（送信先とのデータのやりとりで取得した電話番号、例えば送信先から通知された送信先の電話番号）とを１セットとして受信画像格納部１７と受信先電話番号格納部１６にそれぞれ格納する。
【００５９】
上記制御部は、ユーザＢがユーザＡに返信するファクシミリ文書を作成すると、すなわち、ユーザが、送信先から送られてきた受信画像が画像出力部１４で出力された用紙を原稿として画像入力部１１の送信トレイに設置すると、ユーザの操作部による「送信先自動」モードの選択により電話番号検索モードの状態にして、画像入力部１１にその送信トレイ上の用紙の画像を読み取らせる。
【００６０】
この実施形態１は、受信画像格納部１７に保存されている画像情報から受信画像に対する画像入力部１１からの画像情報と一致するものを検出する画像照合手段としての等価画像検索装置が設けられている。この等価画像検索装置は、例えば画像の重ね合わせで、これらの画像に差異のある画素をカウントし、そのカウント値の少ないものから持ってくるなどの公知な方式が使える。
【００６１】
上記制御部は、上述のように画像入力部１１に送信トレイ上の用紙の画像を読み取らせると、等価画像検索装置に、受信画像格納部１７に保存されている画像情報から、上記受信画像に対する画像入力部１１からの画像情報と一致するものを検出させる（画像情報に近いものを見つけさせる）ことで上記受信画像と同じと思える画像を検索させる。
【００６２】
上記制御部は、等価画像検索装置が、受信画像格納部１７に保存されている画像情報から、上記受信画像に対する画像入力部１１からの画像情報と一致するものを検出した場合には、確認のために画像表示部１５にその検出した画像情報により画像を表示させる。ユーザＢは画像表示部１５に表示された画像が手元にある画像入力部１１の送信トレイ上の用紙の画像と同じであることを確認して操作部のＯＫキーを押す。
【００６３】
上記制御部は、そのＯＫキーからの入力信号により、上記検出した画像情報の返信先（ユーザＡ）の電話番号として、該検出した画像情報と１セットとして受信先電話番号格納部１６に保存されている電話番号をＦＡＸ送信部１２に設定する。画像入力部１１はユーザＢが送信トレイ上にセットしたユーザＡ宛てに返信すべき原稿を読み取り、ＦＡＸ送信部１２は画像入力部１１からの画像情報を上記設定された電話番号のファクシミリ装置へ図示しない公衆回線を介して送信する。  
この実施形態１によれば、受信画像を、送った相手に確実に返信をすることができる。
【００６４】
次に、本発明の実施形態２について説明する。この実施形態２では、上記ＦＡＸ送受信システム(1)または上記ＦＡＸ送受信システム(2)において、ＰＣ２７は、受信画像格納部２４に格納されている画像情報をディスプレイ２８に表示させて閲覧するだけでなく、その中から機器自身に検索をさせる仕組みを持たせたものである。ＰＣ２７は、送信元のユーザＡから本実施形態２のユーザＢ宛てに送信された画像情報をＦＡＸ受信部で受信した場合に該画像情報とその送信元の電話番号（送信先とのデータのやりとりで取得した電話番号、例えば送信先から通知された送信先の電話番号）とを１セットとしてデータ保存装置２３の受信画像格納部２４と受信先電話番号格納部２５にそれぞれ格納する。
【００６５】
ＰＣ２７は、ユーザＢがユーザＡに返信するファクシミリ文書を作成すると、すなわち、ユーザが、送信先から送られてきた受信画像がＦＡＸ受信装置２２の画像出力部で出力された用紙を原稿としてＦＡＸ送信装置２１の画像入力部の送信トレイに設置すると、ユーザの操作部による「送信先自動」モードの選択により電話番号検索モードの状態にして、ＦＡＸ送信装置２１の画像入力部にその送信トレイ上の用紙の画像を読み取らせる。
【００６６】
ＰＣ２７は、受信画像格納部２４に保存されている画像情報から受信画像に対する画像入力部からの画像情報と一致するものを検出する画像照合手段としての等価画像検索機能を有する。この等価画像検索機能は、例えば画像の重ね合わせで、これらの画像に差異のある画素をカウントし、そのカウント値の少ないものから持ってくるなどの公知な方法が使える。
【００６７】
ＰＣ２７は、上述のようにＦＡＸ送信装置２１の画像入力部に送信トレイ上の用紙の画像を読み取らせると、等価画像検索機能にて、受信画像格納部２４に保存されている画像情報から、上記受信画像に対する画像入力部からの画像情報と一致するものを検出する（画像情報に近いものを見つける）ことで上記受信画像と同じと思える画像を検索する。
【００６８】
ＰＣ２７は、等価画像検索機能にて、受信画像格納部２４に保存されている画像情報から、上記受信画像に対する画像入力部からの画像情報と一致するものを検出した場合には、確認のためにディスプレイ２８にその検出した画像情報により画像を表示させる。ユーザＢはディスプレイ２８に表示された画像が手元にある画像入力部の送信トレイ上の用紙の画像と同じであることを確認して操作部のＯＫキーを押す。
【００６９】
ＰＣ２７は、そのＯＫキーからの入力信号により、上記検出した画像情報の返信先（ユーザＡ）の電話番号として、該検出した画像情報と１セットとして受信先電話番号格納部２５に保存されている電話番号をＦＡＸ送信装置２１に設定する。ＦＡＸ送信装置２１の画像入力部はユーザＢが送信トレイ上にセットしたユーザＡ宛てに返信すべき原稿を読み取り、ＦＡＸ送信装置２１はＦＡＸ送信部が画像入力部からの画像情報を上記設定された電話番号のファクシミリ装置へ図示しない公衆回線を介して送信する。
【００７０】
この実施形態２によれば、受信画像を、送った相手に確実に返信をすることができる。
この実施形態２は複数台のファクシミリ装置で構成されるＦＡＸ送受信システムとなっているが、ファクシミリ受信装置が複数台、ファクシミリ送信装置が複数台つながっていてデータストレージ部（受信画像情報及び電話番号を格納する部分）が１つという構成も考えられる。
【００７１】
次に、本発明の実施形態３について説明する。この実施形態３では、上記実施形態１において、上記制御部はＦＡＸ受信部１３で画像情報を受信した場合にその画像情報を所定のサイズに縮小してから受信画像格納部１７に格納する。  
次に、本発明の実施形態４について説明する。この実施形態４では、上記実施形態２において、ＰＣ２７はＦＡＸ受信装置２２で画像情報を受信した場合にその画像情報を所定のサイズに縮小してからデータ保存装置２３の受信画像格納部２４に格納する。
【００７２】
表示デバイス（画像表示部１５、ディスプレイ２８）が巨大だったとしても大きな画像情報をわざわざ保持する意味はあまりないので、画像情報を縮小して保存することにより、画像情報量の削減にもなる上、上記検索を行う際にも画像情報が小さいと処理時間などが早くなるというメリットがある。この場合もずっと画像情報を保存しておき、受信画像を出力した用紙を紛失した際のバックアップとして使おうとした場合は画像情報を縮小する必要はない。データベース部である受信画像格納部１７、２４はネットワークなどで画像情報を参照できるようにすれば、そこから画像情報を取ってくることも可能である。
【００７３】
次に、本発明の実施形態５について説明する。この実施形態５では、上記実施形態１または上記実施形態３において、上記制御部は、上述のようにＦＡＸ受信部１３で画像情報を受信した場合に該画像情報を受信画像格納部１７に格納するが、その際にＦＡＸ受信部１３で受信した画像情報はあらかじめその天地を判別して人間が見やすい上向きになるように補正をかけてから受信画像格納部１７に保存する。
【００７４】
次に、本発明の実施形態６について説明する。この実施形態６では、上記実施形態２または上記実施形態４において、ＰＣ２７は、上述のようにＦＡＸ受信装置２２のＦＡＸ受信部で画像情報を受信した場合に該画像情報をデータ保存装置２３の受信画像格納部２４に格納するが、その際にＦＡＸ受信部で受信した画像情報はあらかじめその天地を判別して人間が見やすい上向きになるように補正をかけてから受信画像格納部２４に保存する。
【００７５】
これらの実施形態５、６では、画像情報を受信画像格納部１７、２４に保持する際にあらかじめ画像情報の天地を判別して該画像情報を人間が見やすい向きに補正をかけたデータにするので、画像を画像表示部１５、ディスプレイ２８に表示して閲覧する際の使い勝手を良くすることができる。もちろん自然画などの画像情報の天地は識別できないが、例えば等価画像検索装置（等価画像検索機能）で等価画像検索を行う際にも、漫然と画像情報を上下左右で回転させながら処理するよりも、検出したい画像情報の天地を一度判別してその方向を整えておいてから等価画像検索を行う方が、高速な場合もあり得る。
【００７６】
次に、本発明の実施形態７について説明する。この実施形態７では、上記実施形態１、上記実施形態３または上記実施形態５において、発信元の電話番号が不明な場合に対応することを可能としたものである。例えば送信先が電話番号非通知であったり、ＦＡＸ装置自体に電話番号を登録していなかったりした場合には、通常のＦＡＸ装置間のデータのやり取りでは電話番号は不明となる。
【００７７】
本実施形態７は、電話番号が不明となった時にがんばって電話番号をみつける手段を有する。ファクシミリ文書は送信元の情報（TTIといわれる情報)が送信元からの画像情報の先頭の1行に入ってくることが多い。上記制御部は、通常のＦＡＸ装置間のデータのやり取りで電話番号が取得できずに不明となった場合には、送信元からの画像情報の先頭の1行に入ってくる送信元の情報（TTIといわれる情報)を読み取って、そこから送信元の電話番号を取得し、この取得した電話番号を送信元からの画像情報と１セットとして受信先電話番号格納部１６と受信画像格納部１７にそれぞれ格納する。
【００７８】
次に、本発明の実施形態８について説明する。この実施形態８では、上記実施形態２、上記実施形態４または上記実施形態６において、上記実施形態７と同様に、発信元の電話番号が不明な場合に対応することを可能としたものである。ＰＣ２７は、通常のＦＡＸ装置間のデータのやり取りで電話番号が取得できずに不明となった場合には、送信元からの画像情報の先頭の1行に入ってくる送信元の情報（TTIといわれる情報)を読み取って、そこから送信元の電話番号を取得し、この取得した電話番号を送信元からの画像情報と１セットとしてデータ保存装置２３の受信先電話番号格納部２５と受信画像格納部２４にそれぞれ格納する。
【００７９】
これらの実施形態７、８では、通常のＦＡＸ装置間のデータのやり取りで電話番号が取得できずに不明となった場合には、送信元からの画像情報から電話番号を取得して受信先電話番号格納部１６、２５に格納するので、通常のＦＡＸ装置間のデータのやり取りで電話番号が取得できずに不明となった場合にも対応できる。
【００８０】
次に、本発明の実施形態９について説明する。この実施形態９では、上記実施形態１、上記実施形態３、上記実施形態５または上記実施形態７において、上記制御部は、電話番号が上記処理で取得できずに不明となった場合には、送信元からの画像情報の先頭行のおよその位置の文字を文字パターン認識処理（OCR処理）して認識し、この認識した文字から送信元の電話番号を取得し（数字と認識した部分を送信元の電話番号とし）、この取得した電話番号を送信元からの画像情報と１セットとして受信先電話番号格納部１６と受信画像格納部１７にそれぞれ格納する。
【００８１】
次に、本発明の実施形態１０について説明する。この実施形態１０では、上記実施形態２、上記実施形態４、上記実施形態６または上記実施形態８において、ＰＣ２７は、電話番号が上記処理で取得できずに不明となった場合には、送信元からの画像情報の先頭行のおよその位置の文字を文字パターン認識処理（OCR処理）して認識し、この認識した文字から送信元の電話番号を取得し（数字と認識した部分を送信元の電話番号とし）、この取得した電話番号を送信元からの画像情報と１セットとしてデータ保存装置２３の受信先電話番号格納部２５と受信画像格納部２４にそれぞれ格納する。
【００８２】
これらの実施形態９、１０では、電話番号が取得できずに不明となった場合には、送信元からの画像情報から電話番号を取得して受信先電話番号格納部１６、２５に格納するので、電話番号が取得できずに不明となった場合にも対応できる。
【００８３】
次に、本発明の実施形態１１について説明する。この実施形態１１では、上記実施形態１、上記実施形態３、上記実施形態５、上記実施形態７または上記実施形態９において、上記制御部は、電話番号が上記処理で取得できずに不明となった場合には、送信元からの画像情報の先頭のヘッダ情報が書かれている部分（部分画像情報）または領域座標を記憶手段に保持しておき、この記憶手段に保持した画像情報（元画像情報）の先頭のヘッダ情報が書かれている部分または領域座標及びその元画像情報により画像表示装置１５に元画像と共にその部分画像を表示させる。
【００８４】
仮にその部分画像に電話番号が書いてあれば、ユーザーはその部分画像を見ながら送信元の電話番号を操作部により入力することが可能となり、また、その部分画像に送信元の電話番号が書いてなければ送信元の電話番号が不明になっている理由も納得しやすい。上記制御部は、操作部から入力された送信元の電話番号を送信元からの画像情報と１セットとして受信先電話番号格納部１６と受信画像格納部１７にそれぞれ格納する。
【００８５】
次に、本発明の実施形態１２について説明する。この実施形態１２では、上記実施形態２、上記実施形態４、上記実施形態６、上記実施形態８または上記実施形態１０において、ＰＣ２７は、電話番号が上記処理で取得できずに不明となった場合には、送信元からの画像情報の先頭のヘッダ情報が書かれている部分（部分画像情報）または領域座標を記憶手段に保持しておき、この記憶手段に保持した画像情報（元画像情報）の先頭のヘッダ情報が書かれている部分または領域座標及びその元画像情報により画像表示装置ディスプレイ２８に元画像と共にその部分画像を表示させる。
【００８６】
仮にその部分画像に電話番号が書いてあれば、ユーザはその部分画像を見ながら送信元の電話番号をキーボードにより入力することが可能となり、また、その部分画像に送信元の電話番号が書いてなければ送信元の電話番号が不明になっている理由も納得しやすい。ＰＣ２７は、キーボードから入力された送信元の電話番号を送信元からの画像情報と１セットとしてデータ保存装置２３の受信先電話番号格納部２５と受信画像格納部２４にそれぞれ格納する。
【００８７】
次に、本発明の実施形態１３について説明する。この実施形態１３では、上記実施形態１、上記実施形態３、上記実施形態５、上記実施形態７、上記実施形態９または上記実施形態１１において、上記制御部は、受信画像情報のみを受信画像格納部１７に保存するだけでなく、ユーザがＦＡＸ送信部１２から送信（返信）する画像情報とその送信先の電話番号を図示しない記憶手段に格納し、デフォルトのモードで、または図示しないスイッチからの入力信号により、上記記憶手段に格納した画像情報及び送信先の電話番号の表示と「この画像を送った人にリダイヤル」という表示を画像表示部１５に行わせる。このようにすることで、「この画像を送った人にリダイヤル」という作業が簡単になる。
【００８８】
次に、本発明の実施形態１４について説明する。この実施形態１４では、上記実施形態２、上記実施形態４、上記実施形態６、上記実施形態８、上記実施形態１０または上記施形態１２において、ＰＣ２７は、受信画像情報のみを受信画像格納部２４に保存するだけでなく、ユーザがＦＡＸ送信部から送信（返信）する画像情報とその送信先の電話番号を図示しない記憶部に格納し、デフォルトのモードで、または図示しないスイッチからの入力信号により、上記記憶部に格納した画像情報及び送信先の電話番号の表示と「この画像を送った人にリダイヤル」という表示をディスプレイ２８に行わせる。このようにすることで、「この画像を送った人にリダイヤル」という作業が簡単になる。
【００８９】
次に、本発明の実施形態１５について説明する。この実施形態１５では、上記実施形態１、上記実施形態３、上記実施形態５、上記実施形態７、上記実施形態９、上記実施形態１１または上記実施形態１３において、上記等価画像検索装置は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつものが用いられる。
【００９０】
次に、本発明の実施形態１６について説明する。この実施形態１６では、上記実施形態２、上記実施形態４、上記実施形態６、上記実施形態８、上記実施形態１０、上記実施形態１２または上記実施形態１４において、上記等価画像検索装置は、画像の重ね合わせ、部分領域の黒画素数、外接矩形の位置、罫線の位置、十字点の位置、文字認識の結果のうち一つ以上の特徴の類似度を用い、特徴が複数の場合には総合的に判断して類似度の高い順番を決定する機能をもつものが用いられる。
【００９１】
次に、本発明の実施形態１７について説明する。この実施形態１７では、上記実施形態１、上記実施形態３、上記実施形態５、上記実施形態７、上記実施形態９、上記実施形態１１、上記実施形態１３または上記実施形態１５において、上記等価画像検索装置の検出結果を類似度の高い順に第一候補から複数ある候補として閲覧させる選択手段を設けたものである。
【００９２】
次に、本発明の実施形態１８について説明する。この実施形態１８では、上記実施形態２、上記実施形態４、上記実施形態６、上記実施形態８、上記実施形態１０、上記実施形態１２、上記実施形態１４または上記実施形態１６において、上記等価画像検索装置の検出結果を類似度の高い順に第一候補から複数ある候補として閲覧させる選択手段を設けたものである。
【図面の簡単な説明】
【００９３】
【図１】本発明の実施形態の前提となるファクシミリ装置(1)を示すブロック図である。
【図２】本発明の実施形態の前提となるＦＡＸ送受信システム(1)を示すブロック図である。
【図３】本発明の実施形態の前提となるＦＡＸ送受信システム(2)を示すブロック図である。
【符号の説明】
【００９４】
１１      画像入力部
１２      ＦＡＸ送信部
１３      ＦＡＸ受信部
１４      画像出力部
１５      画像表示部
１６      受信先電話番号格納部
１７      受信画像格納部
１８      送信先指定部
２１      ＦＡＸ送信装置
２２      ＦＡＸ受信装置
２３      データ保存装置
２４      受信画像格納部
２５      受信先電話番号格納部
２７      ＰＣ
２８      ディスプレイ
２９      ＣＤ−ＲＯＭ
３０      ネットワーク回線
３１      キーボード、マウス
【図１】
2005175761.tif 000003
【図２】
2005175761.tif 000004
【図３】
2005175761.tif 000005